(57)【特許請求の範囲】
【請求項１】
支柱と、該支柱の根元部に固定された手元と、前記支柱の上端部に嵌装固定された上ロ
クロと、該上ロクロに根元部を枢支された親骨と、前記支柱に摺動自在に嵌装された下ロクロと、該下ロクロに根元部を枢支され先端部を前記親骨の中間部位に連結された親骨支え軸と、前記親骨に沿って張架された防水シートとを構成部品としてなる傘において、
前記手元が非金属製部品からなり、前記支柱が金属製部品からなり、前記手元が前記支柱を受容する受容孔を備えた円筒状の支柱保持部を有し、前記受容孔に挿入された前記支柱が、前記支柱保持部の外周に着脱可能に被冠されたキャップ部材により前記手元に固定されるように構成され、かつ
前記支柱保持部が、前記支柱の軸線と平行な方向に延びるヒンジ線を有するヒンジ部を介して互いに連結された一対の半円筒体からなり、該一対の半円筒体が前記ヒンジ線に沿って折り曲げられて円筒状に形成されていることを特徴とする傘。
【請求項２】
前記手元の支柱保持部の外周面に螺条が形成され、前記キャップ部材が前記支柱保持部の外周面に螺着されることを特徴とする請求項１記載の傘。
【請求項３】
前記支柱が手元位置決め穴を備え、前記手元の支柱保持部を形成する前記一対の半円筒体のうちの一方の半円筒体の内周面に、前記受容孔に挿入された前記支柱の前記手元位置決め穴に係入し得る係合突起を備えてなることを特徴とする請求項１または２記載の傘。
【請求項４】
前記一対の半円筒体のうちの一方が前記手元に一体に固定されてなることを特徴とする請求項１から３のいずれか１項記載の傘。
【請求項５】
前記支柱が上ロクロ位置決め穴を備え、前記上ロクロが、親骨枢支部を周縁に沿って略等間隔に開口させたフランジ部と、前記上ロクロ位置決め穴に係入し得る係合突起を内周面に備えて前記フランジ部に同軸的に連接された弾性を持った細径部とからなるロクロ本体と、前記係合突起を前記支柱の上ロクロ位置決め穴に係入させて前記支柱に嵌装された前記ロクロ本体の前記細径部の外周面に被冠される固定部材とを備えていることを特徴とする請求項１から４のいずれか１項記載の傘。
【請求項６】
前記固定部材が、前記ロクロ本体の細径部の外周面に嵌着される固定リングからなることを特徴とする請求項５記載の傘。
【請求項７】
前記ロクロ本体の細径部の外周面に螺条が形成され、前記固定部材が、前記細径部の外周面に螺着される固定ナットからなることを特徴とする請求項５記載の傘。
【発明の詳細な説明】
【０００１】
【発明の属する技術分野】
本発明は傘に関し、特に、組立てが容易で、かつ金属製部品と、非金属製部品とを容易に分別して廃棄することができる傘に関するものである。
【０００２】
【従来の技術】
従来、傘は金属製部品と、合成樹脂（以下単に「樹脂」と呼ぶ）、木等の非金属製部品から構成されているが、各部品は恒久的に連結されており、例えば、樹脂製の手元と金属製の支柱とは恒久的に固定され、樹脂製上ロクロ（石突き側の固定ロクロ）と金属製親骨との連結、ならびに樹脂製下ロクロ（手元側の摺動自在なロクロ）と金属製親骨支え軸（受け骨）との連結は、傘骨の端部に設けた孔に針金（抱き針）を順次挿通し、かつ針金の先端を捩り合わせることにより行なっていた。
【０００３】
【発明が解決しようとする課題】
しかしながら、従来の傘は、傘骨使用後、消費者が金属製部品と非金属製部品とを分離して分別廃棄することが困難であり、廃棄部品の再利用を難しくしていた。最近、環境問題がクローズアップされている中、布の代わりにビニールやＰＥＴ（ポリエチレンテレフタレート）を用いた使い捨ての傘が広く普及するにつれ、この廃棄上の問題の解決が課題になっている。
【０００４】
さらに従来の傘では、傘骨の端部に設けた孔に針金（抱き針）を順次挿通し、かつ針金の先端を捩り合わせることにより、傘骨とロクロとの連結を行なっていたので作業性が悪く、作業の自働化も困難であった。
【０００５】
さらに従来の傘では、上ロクロを釘等で支柱に固定していたから、廃棄の際に上ロクロを支柱から取り外すのが困難であった。
【０００６】
本発明は、上述の点に鑑みてなされたものであり、廃棄の際に金属製部品と、非金属製部品とを容易に分離することができ、組立も容易で、かつ価格も安い傘を提供することを目的とするものである。
【０００７】
【課題を解決するための手段】
本発明は、手元、支柱、親骨、親骨支え軸、上ロクロ、下ロクロおよび防水シートを構成部品とする傘において、上記構成部品が金属製部品と、樹脂または木のような非金属製部品とからなり、かつ少なくとも金属製部品と非金属製部品とが容易に取り外し可能に取り付けられていることを特徴とするものである。
【０００８】
本発明の傘において、手元が非金属製、支柱が金属製である場合、手元が支柱を受容する受容孔を備えた支柱保持部を有し、上記受容孔に挿入された支柱が、上記支柱保持部の外周に被冠されたキャップ部材により上記手元に固定されるように構成されていることが好ましい。
【０００９】
その場合、上記支柱に手元位置決め穴が形成され、上記支柱保持部が上記手元位置決め穴に係入し得る係合突起を上記受容孔内周面に備えた弾性をもった筒体からなり、上記受容孔に挿入された支柱の手元位置決め穴に上記係合突起を係入させた上記支柱保持部の外周に上記キャップ部材が被冠される構成とすることができる。
【００１０】
あるいは、上記支柱保持部は、支柱の軸線と平行な方向に延びるヒンジ線を有するヒンジ部を介して互いに連結された一対の半円筒体によって構成することができる。
【００１１】
また、上記支柱保持部は、支柱の軸線方向と直交する方向に延びるヒンジ線を有するヒンジ部を介して互いに連結された一対の半円筒体によっても構成することもできる。
【００１２】
上記支柱保持部の外周面に螺条を形成し、上記キャップ部材が支柱保持部の外周面に螺着されるようにしてもよい。
【００１３】
親骨および／または親骨支え軸の根元部の両側に枢軸となる突軸を形成し、これに対応して、上ロクロおよび／または下ロクロに、上記突軸を枢支する溝と、この溝内に突出して上記突軸を係止する係止片とを形成することによって、親骨の根元部を上ロクロに、および／または、親骨支え軸の根元部を下ロクロに連結することが好ましい。
【００１４】
また、親骨を、金属製の親骨本体と、この親骨本体の根元部が挿入固定される非金属製の親骨ケースとから構成することができるが、その場合、上ロクロの上記係止片に係止される上記突軸が上記親骨ケースの根元部に形成される。
【００１５】
また、上記親骨ケースの根元部側とは反対側の端部に、前記親骨支え軸の先端部の枢支部を形成することができる。
【００１６】
さらに、上記上ロクロがロクロ本体と固定部材とからなり、上記ロクロ本体は、複数の親骨枢支部を周縁に沿って略等間隔に開口させたフランジ部と、このフランジ部に同軸的に連接された弾性をもった細径部とからなり、この細径部の外周面に上記固定部が被冠されるように構成することができる。その場合、上記ロクロ本体の細径部は、支柱に形成された上ロクロ位置決め穴に係入し得る係合突起を内周面に備えており、上記固定部材は、上記ロクロ本体がその細径部の係合突起を支柱の上ロクロ位置決め穴に係入させて上記支柱に嵌装された状態で上記細径部の外周面に被冠される。
【００１７】
上記固定部材は、上記上ロクロ本体の細径部の外周面に嵌着される固定リングとすることができる。また、上記上ロクロ本体の細径部の外周面に螺条を形成して、上記細径部の外周面に固定ナットを螺着してもよい。
【００１８】
【発明の効果】
本発明の傘は、手元、支柱、親骨、親骨支え軸、上ロクロ、下ロクロおよび防水シートを構成部品とする傘において、上記構成部品が金属製部品と非金属製部品とからなり、例えば樹脂製の手元が金属製支柱から、金属製親骨が樹脂製の親骨支え軸および上ロクロから、樹脂製の上ロクロおよび下ロクロが金属製支柱からそれぞれ容易に取り外し可能に取り付けられているので、金属製部品と非金属製部品との分離が容易であり、廃棄後の再利用を容易にする効果がある。
【００１９】
また、例えば樹脂からなる非金属製手元が、金属製支柱を受容する受容孔を備えた支柱保持部を有し、上記受容孔に挿入された支柱が、上記支柱保持部の外周に被冠されたキャップ部材により手元に固定されるように構成されている場合、組立ておよび分離が容易である。したがって、好みの手元に交換することも容易となる。
【００２０】
特に、上記支柱保持部が支柱の手元位置決め穴に係入し得る係合突起を受容孔内周面に備えた弾性をもった筒体からなる場合、上記係合突起が受容孔の内周面に突出していても、支柱を上記受容孔に挿入すると、係合突起が支柱の表面で押されて支柱保持部が弾性的に外側に撓むことによって上記受容孔への支柱の挿入が可能になり、この挿入に伴って係合突起が手元位置決め穴に達すると、係合突起が弾性的に穴内に係入するから、支柱保持部は内側へ撓む。この状態で、予め支柱に嵌装しておいたキャップ部材を支柱保持部の外周面に嵌着すると、支柱保持部は外側へ撓めなくなるので、これにによって、手元を支柱にしっかりと固定することができ、しかも支柱に対する手元の取付けも容易である。
【００２１】
また、上記支柱保持部の外周面に螺条が形成され、上記キャップ部材が上記支柱保持部の外周面に螺着されるように構成されている場合、上記組立ておよび分離がさらに容易となる。
【００２２】
上記支柱保持部は、固定的であってもよいが、この支柱保持部を、支柱の軸線方向に延びるヒンジ線を有するヒンジ部を介して互いに連結された一対の半円筒体によって構成することにより、或るいは、上記支柱保持部を、支柱の軸線方向と直交する方向に延びるヒンジ線を有するヒンジ部を介して互いに連結された一対の半円筒体によっても構成することにより、両半円筒体をヒンジ線に沿って折り曲げることにより円筒体とすることができ、その逆に、円筒体をヒンジ線に沿って開くことができるから、支柱保持部に対する支柱の取付け、取外しが極めて容易となる。
【００２３】
さらに、親骨および／または親骨支え軸の根元部の両側に、枢軸となる突軸を形成するとともに、上ロクロおよび／または下ロクロに、上記突軸を枢支する溝と、この溝に枢支された上記突軸を係止する係止片とを形成することにより、親骨の根元部を上ロクロに、または親骨支え軸の根元部を下ロクロに押し込むだけで、親骨を上ロクロに、および／または、親骨支え軸を下ロクロに連結することが可能になるから、親骨および／または親骨支え軸の取付けが極めて容易となる。また、傘の廃棄時に、親骨を上ロクロから、および／または、親骨支え軸を下ロクロから取り外す場合には、ある程度以上の力で親骨または親骨支え軸を引張れば、上記係止片が突軸に押されて塑性変形して親骨または親骨支え軸をを解放するから、親骨および／または親骨支え軸の取外しも極めて容易となる。
【００２４】
また、親骨は、金属製の親骨本体と、この親骨本体の根元部が挿入固定される例えば樹脂製の親骨ケースとからなり、この親骨ケースの根元部に、上ロクロの親骨枢支部内の係止片に係止される上記突軸が形成されている場合、親骨本体を親骨ケースから抜き取るだけで、樹脂製部品と金属製部品とを分離させることができる。
【００２５】
さらに、上ロクロのロクロ本体が、親骨枢支部を備えたフランジ部に、支柱の上ロクロ位置決め穴に係入し得る係合突起を内周面に備えた弾性をもった細径部が連接されていることにより、上記係合突起がロクロ本体の内周面から突出していても、ロクロ本体を支柱に嵌装すると、係合突起が支柱の表面で押されて細径部が弾性的に外側に撓むことによってロクロ本体の支柱へ嵌装が可能になり、この嵌装に伴って支柱の表面に沿って摺動した係合突起が上ロクロ位置決め穴に達すると、係合突起が弾性的に穴内に係入するから、細径部は内側へ撓む。この状態で細径部の外周面に固定リングのような固定部材を被冠すると、細径部は外側へ撓めなくなるので、これによって、ロクロ本体を支柱にしっかりと固定することができ、しかも支柱に対する上ロクロの取付けも容易になる。
【００２６】
また、上記固定部材を、上記細径部の外周面に形成された雄ねじに螺着される固定ナットとした場合、固定部材が細径部から脱落し難く、かつ取外しも容易であるが、上記固定部材を単に細径部の外周面に嵌着される固定リングとした場合であっても、この固定リング上から防水シートが張架されるので、たとえ固定リングの嵌着状態が多少緩い場合あっても、防水シートによって固定リングのロクロ本体からの脱落が阻止され、上ロクロは支柱に保持された状態に保たれる。
【００２７】
一方、傘の廃棄時には、防水シートを外し、固定リングまたは固定ナットを取り外すことにより、ロクロ本体を直ちに支柱から取り外すことができる。
【００２８】
【発明の実施の形態】
以下、図面を参照して本発明の好ましい実施の形態について詳細に説明する。
【００２９】
図１は、本発明による傘の第１の実施形態の構成を一部を省略して透視的に示す概略構成図である。傘１は、金属製の支柱２と、この支柱２の石突き２ａの近傍に固定された樹脂製の上ロクロ４と、支柱２に摺動可能に取り付けられた樹脂製の下ロクロ６と、上ロクロ４に根元部を枢支された親骨８と、根元部を下ロクロ６に枢支され先端部を親骨８の中間部位に枢支された樹脂製の親骨支え軸１０と、支柱２の根元部に着脱可能に取り付けられた樹脂製の手元１２とを備えている。親骨８は、金属製の親骨本体１４と、この親骨本体１４の根元部を挿入固定した樹脂製の親骨ケース１６とからなり、この親骨ケース１６は、その根元部を上ロクロ４に枢支され、先端部において親骨支え軸１０の他端を枢支している。
【００３０】
また、上ロクロ４は、支柱に嵌装固定されて８本の親骨の根元部を枢支するロクロ本体５と、このロクロ本体５に被冠された固定リング１８とからなる。上ロクロ４の上には、例えば布、ビニール、ポリエチレンテレフタレート（ＰＥＴ）、ポリビニルアセテート（ＰＶＡ）等の防水シート１９が張架され、これにより、固定リング１８が支柱２から脱落するのを防止している。
【００３１】
図２は、支柱２の正面図を示し、手元１２側から石突き２ａ側に向かって順に、手元位置決め穴２０、ハジキ２２，２４、ストッパ２６および上ロクロ位置決め穴２８を備えている。なお、下ロクロ６を支柱２上の所定の２箇所に係止するための２個のハジキ２２，２４は、支柱２の表面から突出方向にバネ付勢された態様で支柱２の表面から出没自在に設けられているが、開傘状態において親骨支え軸１０の支柱２側が高くなるように傾斜していれば、上方（石突き２ａ側）のハジキ２４は省略してもよい。
【００３２】
図３（ａ）〜（ｄ）は、手元の第１の実施形態を示す図で、図３（ａ）は手元本体の一部を断面とした正面図、図３（ｂ）は平面図、図３（ｃ）は側面図、図３（ｄ）はキャップ部材の断面図である。また、図４は仮想線で示す支柱２に手元１２が固定された状態を一部を断面として示す側面図である。
【００３３】
この樹脂製の手元１２は、把手３０とこの把手３０に一体に設けられた細径の支柱保持部３２とからなる手元本体１３と、上記支柱保持部３２に嵌着されるキャップ部材４０とから構成されている。
【００３４】
手元本体１３の支柱保持部３２は、支柱２を受容する受容孔３４を備えた円筒体からなり、この支柱保持部３２には、その上端から下方に向かって円筒体の軸線方向に延びる２条のスリット３６，３６が軸対称に形成されている。また、支柱保持部３２の支柱受容孔３４の内壁の上端には、支柱２の手元位置決め穴２０に係入し得る係合突起３８が形成されて、受容孔３４の内周面に突出している。この係合突起３８は、支柱保持部３２のスリット３６，３６に沿った直径に直交する直径上に形成され、支柱保持部３２の係合突起３８を備えている部分が、係合突起３８が図３（ｃ）の左右方向に偏位可能なように弾性を付与されている。
【００３５】
図３（ｄ）に示す円筒状キャップ部材４０は、下方が開放されて支柱保持部３２を受容する受容孔４２を備え、その上端に支柱２を貫通させる円孔４４が形成されている。このキャップ部材４０は、把手３０の支柱保持部３２に隣接する部分の外径とほぼ同一の外径となるように形成されている。
【００３６】
以上のような構成を有する手元１２を支柱２に取り付ける場合には、予めキャップ部材４０を支柱２に嵌装しておいて、支柱２の根元部を支柱保持部３２の支柱受容孔３４内に挿入する。この場合、係合突起３８が受容孔３４の内周面に突出していても、支柱２を受容孔３４に挿入すると、係合突起が３８支柱２の表面で押されて支柱保持部３２が弾性的に外側に撓むことによって受容孔３４内への支柱２の挿入が可能になり、この挿入に伴って支柱２の表面と相対的に摺動する係合突起３８が手元位置決め穴２０に達すると、係合突起３８が弾性的に穴２０内に係入するから、支柱保持部３２は内側へ撓む。この状態で支柱保持部３２の外周面にカップ部材４０を嵌着すると、支柱保持部３２は外側へ撓めなくなるので、これによって、図４に示すように、支柱２に手元本体１３をしっかりと固定することができ、しかも支柱２に対する手元１２の取付けも容易になる。そして、キャップ部材４０を支柱保持部３２から抜き去れば、手元本体１３を支柱２から容易に取り外すことができる。
【００３７】
次の図５（ａ）〜（ｄ）は、手元の第２の実施形態を図３（ａ）〜（ｄ）に対応させて示す図で、図５（ａ）は手元本体の一部を断面とした正面図、図５（ｂ）は平面図、図５（ｃ）は側面図、図５（ｄ）はキャップ部材の断面図である。また、図６は仮想線で示す支柱２に手元１２が固定された状態を一部を断面として示す正面図である。
【００３８】
本実施の形態は、手元本体１３の把手３０と一体に設けられた支柱保持部３２の根元部の外周面に雄ねじ４６が形成され、これに対応して、キャップ部材４０の内周面の下部に上記雄ねじ４６に螺合する雌ねじ４８が形成されていることおを除いては、図３に示す第１の実施の形態の手元と同一構成を有するので重複する説明は省略する。
【００３９】
本実施の形態の場合、キャップ部材４０が支柱保持部３２に螺着されるから、手元１２支柱２に対する手元１２の取付け、取外しがより容易になる。
【００４０】
図７（ａ），（ｂ）は，手元の第３の実施形態における手元本体を示す正面図および平面図である。
【００４１】
この手元本体１３では、図５に示す支柱保持部３２の雄ねじ４６から上方部分が、支柱保持部３２の軸線と平行な方向に延びるヒンジ線を有するヒンジ部３２ｃを介して互いに連結された態様で左右に２分割され、このヒンジ部３２ｃにより開閉できる２個の半円筒体３２ａ，３２ｂによって構成されている。両半円筒体３２ａ，３２ｂを図７（ｃ）に示すように閉じると、支柱２を受容する受容孔３４が形成される。半円筒体３２ａ，３２ｂの側縁には互いに係合する凹凸係合部３２ｄが形成されている。また、両半円筒体３２ａ，３２ｂの内周面に多数の微細な突起３２ｅが形成されていることにより、支柱保持部３２による支柱２の保持力を高めることができる。キャップ部材４０には、図５（ｄ）に示したものを用いることができる。
【００４２】
この構成の場合には、両半円筒体３２ａ，３２ｂを図７（ａ）に示すように開いた状態で、支柱２の根元部を把手３０の穴内に挿入して、固定されている側の半円筒体３２ａの係合突起３８が支柱２の手元位置決め穴２０に係入した状態にし、図７（ｃ）に示すように、他方の半円筒体３２ｂを閉じて円筒状支柱保持部３２を形成してから、図５（ｄ）に示すキャップ部材４０を螺着すればよい。
【００４３】
本実施の形態によれば、支柱２に対する手元１２の取付け、取外しがさらに容易となる。なお、半円筒体３２ｂは、ヒンジ３２ｃとともに半円筒体３２ａと一体成形で作成されるが、ヒンジ３２ｃを省略して半円筒体３２ｂを別体に形成してもよい。
【００４４】
次の図８（ａ）〜（ｃ）は、手元の第４の実施形態における手元本体を示す正面図、平面図および側面図である。
【００４５】
本実施の形態では、手元本体１３の支柱保持部１３２が、支柱保持部１３２の軸線方向と直交する方向に延びるヒンジ線を有する２個のヒンジ部１３２ｃ，１３２ｃを介して互いに連結された態様で上下に２分割された半円筒体１３２ａ，１３２ｂからなる。これら半円筒体１３２ａ，１３２ｂの外周面には、互いに向きの異なる雄ねじ１４６ａ，１４６ｂがそれぞれ形成されている。この支柱保持部１３２は、ヒンジ部１３２ｃの位置で折り曲げることによって、全体として雄ねじ１４６を有する円筒形に構成される。そして円筒体を構成してから支柱２の根元部を挿入し、図９（ａ），（ｂ）に断面図および底面図で示すような、雌ねじ１４８を内周面に備えた円筒状キャップ部材１４０を螺着すればよい。
【００４６】
次の図１０（ａ），（ｂ）は、図１に示す樹脂成形品からなる親骨支え軸１０の構成を示す正面図および一部を断面とした側面図である。親骨支え軸１０の根元部（下ロクロ６に連結される部分）の図１０（ｂ）の側面図で見て両側には、この親骨支え軸１０の下ロクロ６に対する枢軸となる突軸５０，５０が突設され、親骨支え軸１０の先端部には、親骨ケース１６に対する連結部５２が形成されている。この連結部５２は側面図で見てコ字状をなし、かつ突軸５０，５０と平行な方向に軸孔５４，５４が貫通している。
【００４７】
図１１（ａ）および（ｂ）は、図１０の親骨支え軸１０の根元部を枢支する樹脂製の下ロクロ６の断面図および底面図である。
【００４８】
下ロクロ６は、傘開閉時のつまみとして機能する円筒状ボス部５６と、このボス部５６の上部に連接して一体に形成されたフランジ部５８とからなり、支柱２が挿通される軸孔５９が上下に貫通している。フランジ部５８の上端面５８ａの周縁には、各親骨支え軸１０の根元部を収容する８個の親骨支え軸収容溝６０が略等角度間隔を保って放射状の開口している。そして、親骨支え軸１０の根元部の両側に突設された突軸５０，５０を収容するための親骨支え軸枢支溝６２が、放射状の親骨支え軸収容溝６０に直交するようにフランジ部５８を上下に貫通してその上下端面５８ａ，５８ｂに開口している。溝６２は溝６０とともに親骨支え軸１０の枢支部を形成しているとともに、各溝６２の両端部の上端には、溝６２内に枢支された突軸５０，５０が外れないように溝６２の上部を塞ぐ鉤状の係止片６４が溝６２の下ロクロ６の中心側の壁面から延出する態様で突設されている。各係止片６４の先端は斜め下方を向いている。
【００４９】
図１２（ａ）〜（ｄ）は、下ロクロ６のフランジ部５８に対し親骨支え軸１０を連結するとこの作業手順を示す説明図である。
【００５０】
すなわち、図１２（ａ）に示すように、突軸５０を備えた親骨支え軸１０の根元部をフランジ部５８の上方から、すなわち下ロクロ６の軸線と平行な方向から親骨支え軸収容溝６０内に挿入すると、係止片６４はその先端が斜め下方を向いているので、図１２（ｂ）に示すように係止片６４が突軸５０によって下方へ弾性的に撓ませられ、図１２（ｃ）に示すように、親骨支え軸１０の溝６０内への挿入が許容され、親骨支え軸１０は下ロクロ６にスナップ係合される。そして親骨支え軸１０を図１２（ｄ）に示すように上方に若干戻すことにより、係止片６４が突軸５０に押されて図１２（ａ）に示す状態に戻され、これにより、親骨支え軸１０の突軸５０が上方へ脱出しないように係止片６４によって係止された態様で、親骨支え軸１０が下ロクロ６に連結される。
【００５１】
図１３は、親骨支え軸１０が下ロクロ６に連結された状態を示す平面図である。親骨支え軸１０は、図１１（ａ）に仮想線示す水平状態から、垂直状態になるまで、突軸５０を中心に約９０°枢動することが可能な状態に下ロクロ６に連結される。
【００５２】
このように、下ロクロ６が、根元部に突軸５０を枢軸として備えた親骨支え軸１０に対する枢支構造を有することにより、親骨支え軸１０の根元部を収容溝６０に押し込むだけで、親骨支え軸１０を下ロクロ４に連結することが可能になるから、親骨支え軸１０の取付けが極めて容易となる。また、傘の廃棄時に親骨支え軸１０を下ロクロ６から取り外す場合には、ある程度以上の力で親骨支え軸１０を引張ることにより、突軸５０に押されて係止片６４が塑性変形して親骨支え軸１０を解放するから、親骨支え軸１０の取外しも極めて容易となる。
【００５３】
なお、上述の構成では、係止片６４が親骨支え軸枢支溝６２の下ロクロ６の中心側の壁面に形成されているが、上記壁面と対向する反対側の壁面に係止片６４を形成してもよい。
【００５４】
図１４（ａ）〜（ｃ）は、下ロクロのさらに他の変形例を示す平面図、断面図および側面図である。この下ロクロ１０６は、親骨支え軸１０を横から、すなわち下ロクロ１０６の半径方向から挿入することができるような構成を有している。
【００５５】
この場合、親骨支え軸収容溝１６０と直交する親骨支え軸枢支溝１６２が下ロクロ１０６のフランジ部１５８の外周面に開口し、親骨支え軸１０の突軸５０を係止するための係止片１６４が、フランジ部１５８の外周面における溝１６２内に形成されている。
【００５６】
図１５（ａ）は、本発明による傘における上ロクロの第１の実施形態が備えているロクロ本体の正面図を示し、図１５（ｂ）はその平面図を示す。また、図１６（ａ）は固定リングの正面図を示し、図１６（ｂ）は、ロクロ本体に固定リングを嵌着した状態を示す断面図である。図１６（ｃ）はロクロ本体に親骨が枢支された状態を示す、一部を断面とした概略的底面図である。
【００５７】
図１５および図１６において、樹脂製の上ロクロは、図１５（ａ），（ｂ）に示すようなロクロ本体５と、図１６（ａ）に示すような固定リング１８とから構成されている。ロクロ本体５は、フランジ部６８と、このランジ部６８の上部に同軸的に連接された円筒状細径部６６とからなり、支柱２が挿通される軸孔６９を中心に備えている。フランジ部６８には、親骨ケース１６の根元部を収容する８個の親骨収容溝７０が、下端面の周縁に沿って略等角度間隔を保って放射状に開口している。
【００５８】
各親骨収容溝７０には、親骨ケース１６の根元部の両側に突設された一対の突軸８０，８０を枢支するための親骨枢支溝７２が、親骨収容溝７０と直交するようにフランジ部６８を上下に貫通して形成され、各親骨枢支溝７２の両端部の下端には、図１６（ｂ）から特に明らかなように、溝７２内に枢支された突軸８０、８０が溝７２から外れないように溝７０の下部を塞いでいる鉤状の係止片７４が突設されている。各係止片７４の先端は斜め上方を向いている。
【００５９】
ロクロ本体５の細径部６６には、その一つの直径に沿う位置において上端から下方へ延びる一対のスリット７６、７６が軸対称に形成されているとともに、細径部６６の内周面には、スリット７６、７６を含む直径に対して略直交する直径に沿う位置に一対の係合突起７８，７８が突設されて、軸孔６９内に突出している。そして、細径部６６は、上記スリット７６、７６によって、係合突起７８，７８が図の左右方向に偏位可能なように弾性が付与されている。
【００６０】
したがって、上ロクロ本体５を図１６（ｂ）に仮想線で示す支柱２に上方から嵌装しようとすると、係合突起７８，７８が支柱２の表面で押されて細径部６６が弾性的に撓み、上ロクロ本体５の支柱２への嵌装が可能になる。
【００６１】
一方、支柱２の所定位置には、上記係合突起７８，７８が係入し得る上ロクロ位置決め穴２８，２８が形成されており、ロクロ本体５の支柱２への嵌装に伴って支柱２の表面に沿って摺動した係合突起７８，７８が上ロクロ位置決め穴２８，２８に達すると、弾性的に穴２８，２８内にそれぞれ係入して、支柱２に仮止めされる。
【００６２】
図１６（ａ）に示す固定リング１８は、ロクロ本体５の細径部６６に嵌着し得る軸孔１８ａを有し、かつその外周面の上端にフランジ１８ｂを備えている。そして、上述のように、係合突起７８，７８を支柱２の上ロクロ位置決め穴２８，２８に係入させた状態で支柱２に嵌装されたロクロ本体５の細径部６６の外周面に上記固定リング１８を嵌着することによって、上ロクロ本体５が支柱２にしっかりと固定される。
【００６３】
このようにロクロ本体５の細径部６６に嵌着された固定リング１８には、図１６（ｂ）に仮想線で示すような防水シート１９が上方から張架されるので、ロクロ本体５の細径部６６に対する固定リング１８の嵌合状態が多少緩い場合でも、固定リング１８がロクロ本体５からの脱落するおそれはなく、上ロクロ４は支柱２に保持された状態に保たれる。
【００６４】
一方、傘の廃棄時には、防水シート１９を外し、固定リング１８をそのフランジ１８ｂを摘まんで細径部６６から引き抜くことにより、ロクロ本体５を直ちに支柱２から取り外すことができる。
【００６５】
図１７は、本発明による上ロクロの第２の実施形態を図１６（ｂ）に対応させて示す断面図である。このロクロ本体５は、その細径部６６が、図１６（ｂ）と同様にスリット７６，７６と係合突起７８，７８とを備えているが、細径部６６外周には雄ねじ６６ａが形成され、これに対応して、固定リング１８に代えて、内周面に雌ねじを備えた固定ナット２５が固定部材として細径部６６に螺装されるようになっている。親骨ケース１６の枢支構造は図１６（ｂ）に示したものと同様である。
【００６６】
このように、ロクロ本体５が、下ロクロ６と同様に、根元部に突軸８０を枢軸として備えた親骨ケース１６に対する枢支構造を有していることにより、図１２と同様に、親骨ケース３０の根元部を親骨収容溝７０に押し込むだけで、親骨ケース１６を上ロクロ４に連結することが可能になるから、親骨ケース１６の取付けが極めて容易となる。また、傘の廃棄時に親骨ケース１６を上ロクロ４から取り外す場合には、ある程度以上の力で親骨ケース１６を引張ることにより、突軸８０に押されて係止片７４が塑性変形して親骨ケース１６を解放するから、親骨ケース１６の取外しも極めて容易となる。
【００６７】
図１８は、上ロクロのさらに他の変形例を示す断面図である。この上ロクロ１０４は、図１６（ｂ）および図１７に示すロクロ本体５と同様の親骨ケース枢支部を備えたそのフランジ部１６８を有しているが、従来の上ロクロと同様に、ノックピンを用いた支柱２に対する固定構造を有している。すなわち、短い円筒部１６６をフランジ部１６８に連接して備え、この円筒部１６６に、ノックピン挿入用小孔１６７，１６７を備えているのみである。この場合は、支柱２側にノックピンが挿通される孔が設けられる。
【００６８】
図１９（ａ）〜（ｄ）に親骨の構成を示す。この親骨８は、図１９（ａ）に示すように、スチール製の親骨本体１４と、この親骨本体１４の根元部が図１９（ｂ）に示すように挿入される樹脂製の親骨ケース１６とからなる。親骨本体１４は親骨ケース１６の根元まで挿入することによって強度が高められているが、親骨ケース１６から容易に引き抜くことが可能である。親骨本体１４は、一般的に図１９（ｃ）に示すように、ピアノ線のような丸い断面形状を有する鋼線で形成されるが、図１９（ｄ）に示すように、Ｕ字状の断面形状を有するものであってもよい。
【００６９】
図２０（ａ）〜（ｅ）は、上記親骨ケース１６の詳細な構成を示し、図２０（ａ）は一部を断面とした正面図、図２０（ｂ）、（ｃ）はそれぞれ左側面図および右側面図、図２０（ｄ），（ｅ）はそれぞれ平面図および底面図である。この樹脂成形品からなる親骨ケース１６は、図１９（ｂ）に示すように親骨本体１４の根元部が挿入される細長い筒状部１６ａを有し、この筒状部１６ａの根元部、すなわち図２０（ａ）〜（ｃ）における上端部１６ｂには、上ロクロ４に対する枢軸となる突軸８０，８０を備え、筒状部１６ａの先端部、すなわち図２０（ａ）〜（ｃ）における下端部には、側方へ突出する短いアーム部１６ｃが設けられ、このアーム部１６ｃの両面に、図１０に示す親骨支え軸１０の先端のコ字状をなす連結部５２の軸孔５４，５４に枢着される短い突軸８１，８１が設けられている。
【００７０】
図２１（ａ），（ｂ）は、親骨支え軸の変形を示す正面図および側面図である。この親骨支え軸１１０の根元部（下ロクロ６に連結される部分）には、図１０に示す親骨支え軸１０と同様に、下ロクロ６に対する枢軸となる突軸５０，５０が突設されているが、親骨ケースとの連結部である先端部にも突軸５０，５０と同様の突軸９０，９０が設けられている。
【００７１】
この親骨支え軸１１０が連結される親骨ケース１１６が図２２（ａ）〜（ｅ）に示されており、図２２（ａ）はその一部を断面とした正面図、図２２（ｂ）、（ｃ）はそれぞれ左側面図および右側面図、図２２（ｄ）は底面図、図２２（ｅ）は図２２（ａ）のＥ−Ｅ線に沿った断面図である。この樹脂成形品からなる親骨ケース１１６は、上ロクロ４に対する連結部が図２０に示す親骨ケース１６と同一構造を有するので、対応する部分に同一符号を付して示してあるが、図２１に示す親骨支え軸１１０との連結部が図２０に示す親骨ケース１６とは異なる構成を有する。
【００７２】
すなわち、親骨支え軸１１０との連結部は、前述した下ロクロ６における親骨支え軸１０および上ロクロ４における親骨ケース１６の枢支部と同様の構成を有し、親骨支え軸１１０の先端部を収容する収容溝２６０と、親骨支え軸１１０の先端部に形成された突軸９０，９０を収容するための横溝２６２，２６２と、各横溝２６２内に突出する可撓性を有する係止片２６４とを備えている。したがって、親骨支え軸１１０は親骨ケース１１６に対し、図１２と同様の態様で連結されて、図２３に示す状態となる。
【００７３】
以上説明した親骨８は、金属製の親骨本体１４と樹脂製の親骨ケ−ス１６または１１６とから構成されているが、親骨全体を金属で形成することもできる。その場合、例えば図２４（ａ），（ｂ）に示すように、親骨１０８がＵ字状に断面形状を有し、その中間部のエッジに、親骨支え軸２１０の枢支部２１１が一体に形成される。この枢支部２１１は、親骨支え軸２１０の突軸１００，１００を枢支する溝２１３と、弾性係止片２１５，２１５を備えている。
【００７４】
この場合、突軸１００，１００を備えた親骨支え軸２１０は、少なくとも先端部が金属で形成される。図２５（ａ），（ｂ）は、樹脂製の親骨支え軸の先端にかしめ付けられる、突軸１００，１００を備えた金属製チップの正面図および側面図であり、鍛造品または鋳造品で形成されている。また、図２６（ａ），（ｂ）は、板金プレス品からなる親骨支え軸の要部を示す平面図および側面図である。
【００７５】
以上の説明で明らかなように、上述の実施の形態においては、手元１２、支柱２、親骨８、親骨支え軸１０、上ロクロ４、下ロクロ６および防水シート１９を構成部品とする傘において、上記構成部品が金属製部品と非金属製部品とからなり、例えば樹脂製の手元１２が金属製支柱２から、金属製親骨本体１４が樹脂製の親骨ケース１６から、樹脂製の上ロクロ４および下ロクロ６が金属製支柱２からそれぞれ容易に取り外し可能に取り付けられているので、金属製部品と非金属製部品との分離が容易であり、廃棄後の再利用を容易にする効果がある。
【００７６】
また、例えば樹脂からなる手元１２が、金属製支柱２を受容する受容孔３４を備えた支柱保持部３２を有し、上記受容孔３４に挿入された支柱２が、上記支柱保持部３２の外周に嵌着されたキャップ部材４０により手元１２に固定されるように構成されていることにより、組立ておよび分離が容易である。したがって、好みの手元１２に交換することも容易となる。
【００７７】
そして、上記支柱保持部３２の外周面に雄ねじ４６が形成され、上記キャップ部材４０の内周面に、上記雄ねじ部４６に螺合する雌ねじ４８がされていることにより、上記組立ておよび分離がさらに容易となる。
【００７８】
さらに、図７に示すように、支柱保持部３２が、支柱２の軸線と平行な方向に延びるヒンジ線を有するヒンジ部３２ｃを介して互いに連結された一対の半円筒体３２ａ，３２ｂによって構成することにより、あるいは、図８に示すように、支柱保持部１３２が、支柱２の軸線方向と直交する方向に延びるヒンジ線を有するヒンジ部１３２ｃを介して互いに連結された一対の半円筒体１３２ａ，１３２ｂによって構成されている場合、両半円筒体３２ａ，３２ｂまたは１３２ａ，１３２ｂをヒンジ線に沿って折り曲げることにより円筒体とすることができ、その逆に、円筒体をヒンジ線に沿って開くことができるから、支柱保持部３２または１３２に対する支柱の取付け、取外しが極めて容易となる。
【００７９】
さらに、親骨ケース１６または１１６および親骨支え軸１０または１１０の根元部の両側に、傘骨の枢軸となる突軸８０または５０を形成するとともに、上ロクロ４および下ロクロ６の骨枢支部に係止片６４または７４を形成して、骨また軸の根元部が、上記係止片６４または７４に上記突軸８０，８０または５０，５０を係止させた態様でロクロ４，６に連結されるように構成されていることにより、親骨ケース１６または１１６および親骨支え軸１０または１１０が、それぞれ上ロクロ４および下ロクロ６と、スナップ係合により連結されるので、組立ておよび分離が極めて容易となる。
【００８０】
また、親骨８が、金属製の親骨本体１４と、この親骨本体１４の根元部が挿入固定される樹脂製の親骨ケース１６または１１６とからなり、この親骨ケース１６または１１６の根元部に、上ロクロ４または１０４，２０４の親骨枢支部内の係止片６４または１６４に係止される突軸５０，５０が形成されていることにより、親骨本体１４を親骨ケース１６または１１６から抜き取るだけで、樹脂製部品と金属製部品とを分離させることができる。
【００８１】
さらに、上ロクロ本体５が、支柱２の上ロクロ位置決め穴２８に係入する７８，７８を備えた細径部６６を上部に備え、固定リング１８または固定ナット２５が上記細径部６６に嵌着または螺着され、上ロクロ本体５を支柱２に保持させるように構成した場合、支柱に対する上ロクロ本体５組付けおよび取り外しが極めて容易となり、さらに上記固定リング１８または固定ナット２５の上から防水シート１９が張架されるので、固定リング１８または固定ナット２５のロクロ本体５からの脱落が阻止される。
【図面の簡単な説明】
【図１】本発明による傘の第１の実施形態の構成を一部を省略して透視的に示す概略構成図
【図２】図１に示す傘に使用される支柱の正面図
【図３】図３（ａ）は手元本体の第１の実施の形態の正面図、図３（ｂ）はその平面図、図３（ｃ）はその側面図、図３（ｄ）はキャップ部材の断面図
【図４】図３（ａ）〜（ｃ）に示す手元本体に図３（ｄ）に示すキャップ部材が取り付けられた状態を示す部分的断面図
【図５】図５（ａ）は手元本体の第２の実施の形態の正面図、図５（ｂ）はその平面図、図５（ｃ）はその側面図、図５（ｄ）はキャップ部材の断面図
【図６】図５（ａ）〜（ｃ）に示す手元本体に図５（ｄ）に示すキャップ部材が手元に取り付けられた状態を示す部分的断面図
【図７】図７（ａ）は手元本体の第３の実施の形態の正面図、図７（ｂ）はその平面図、図７（ｃ）はその支柱保持部を閉じた状態の平面図
【図８】図８（ａ）は手元本体の第４の実施の形態の正面図、図８（ｂ）はその平面図、図７（ｃ）はその側面図
【図９】図８の手元本体に螺装されるキャップ部材の断面図
【図１０】図１０（ａ）は親骨支え軸の第１の実施の形態の正面図、図１０（ｂ）はその一部を断面とした側面図
【図１１】図１１（ａ）は下ロクロの第１の実施の形態の断面図、図１０（ｂ）はその底面図
【図１２】親骨支え軸を図１１の下ロクロに連結するときの作業手順を示す説明図
【図１３】図１１の下ロクロに親骨支え軸が枢支された状態を示す、一部を断面とした平面図
【図１４】図１４（ａ）は下ロクロの第２の実施の形態に親骨支え軸が枢支された状態を示す平面図、図１４（ｂ）はその断面図、図１４（ｃ）はその側面図
【図１５】図１５（ａ）は上ロクロの第１の実施の形態におけるロクロ本体の正面図、図１５（ｂ）はその平面図
【図１６】図１６（ａ）は図１５のロクロ本体に嵌着される固定リングの正面図、図１６（ｂ）は図１５のロクロ本体に固定リングが嵌着された状態を示す断面図、図１６（ｃ）は上ロクロに親骨ケースが枢支された状態を示す、一部を断面とした底面図
【図１７】上ロクロの第２の実施の形態を示す断面図
【図１８】上ロクロの第３の実施の形態を示す断面図
【図１９】図１９（ａ）は親骨の分解図、図１９（ｂ）は親骨ケースに親骨本体を挿入する状態を示す説明図図１９（ｃ），（ｄ）は親骨本体の変形例を示す斜視図
【図２０】図２０（ａ）は親骨ケースの一部を断面とした正面図、図２０（ｂ）、（ｃ）はそれぞれ左側面図および右側面図、図２０（ｄ），（ｅ）はそれぞれ平面図および底面図
【図２１】図２１（ａ）は親骨支え軸の変形例を示す側面図、図２１（ｂ）はその正面図
【図２２】図２２（ａ）は図２１の親骨支え軸が連結される親骨ケースの一部を断面とした正面図、図２２（ｂ）、（ｃ）はそれぞれ左側面図および右側面図、図２２（ｄ）は底面図、図２２（ｅ）は図２２（ａ）のＥ−Ｅ線に沿った断面図
【図２３】図２２の親骨ケースに対する図２１の親骨支え軸の連結部分の拡大断面図
【図２４】図２４（ａ）は親骨と親骨支え軸と連結部の変形例を示す部分拡大正面、図２４（ｂ）はその底面図
【図２５】図２５（ａ）は樹脂製の親骨支え軸の先端にかしめ付けられる金属製チップの正面図、図２５（ｂ）はその側面図
【図２６】図２６（ａ）は板金プレス品からなる親骨支え軸の要部を示す平面図、図２６（ｂ）はその側面図
【符号の説明】
１    傘
２    支柱
４    上ロクロ
５    上ロクロのロクロ本体
６    下ロクロ
８    親骨
１０    親骨支え軸
１２    手元
１３    手元
１４    親骨本体
１６    親骨ケース
１８    固定リング
１９    防水シート
２０    手元位置決め穴
２８    上ロクロ位置決め穴
３０    手元の把手
２５    固定ナット
３２    手元の支柱保持部
４０    キャップ部材
５０    突軸
６４，７４    係止片
６６    細径部
５８，６８    フランジ部
【図１】
0004108900.tif 000002
【図２】
0004108900.tif 000003
【図３】
0004108900.tif 000004
【図４】
0004108900.tif 000005
【図５】
0004108900.tif 000006
【図６】
0004108900.tif 000007
【図７】
0004108900.tif 000008
【図８】
0004108900.tif 000009
【図９】
0004108900.tif 000010
【図１０】
0004108900.tif 000011
【図１１】
0004108900.tif 000012
【図１２】
0004108900.tif 000013
【図１３】
0004108900.tif 000014
【図１４】
0004108900.tif 000015
【図１５】
0004108900.tif 000016
【図１６】
0004108900.tif 000017
【図１７】
0004108900.tif 000018
【図１８】
0004108900.tif 000019
【図１９】
0004108900.tif 000020
【図２０】
0004108900.tif 000021
【図２１】
0004108900.tif 000022
【図２２】
0004108900.tif 000023
【図２３】
0004108900.tif 000024
【図２４】
0004108900.tif 000025
【図２５】
0004108900.tif 000026
【図２６】
0004108900.tif 000027